(57)【要約】【課題】貯湯式温水器の貯湯熱を効率よく利用し、やけどや高温水による不快感の少ない浴槽水の追い炊き、保温を行う温水器を提供。【解決手段】貯湯タンク７の下部と上部を連通する第１連通路９に水を供給する沸き上げポンプ１０と、貯湯タンク７の上部と下部を連通する第２連通路１４に貯湯タンク７上部の湯水を供給する追い炊きポンプ１５と、第２連通路１４を流れる湯水と熱交換する水熱交換器１６と、沸き上げポンプ１０とヒーター８を制御する加熱制御手段１２と、浴槽水循環ポンプ１８により浴槽水を循環して水熱交換器１６で熱交換を行う浴槽水循環回路２６，２７と、水熱交換器１６の浴槽水出口側に浴槽湯温制御センサー１９と、水熱交換器１６の浴槽水入口側に浴槽水温センサー２０の検出温度と浴槽水の設定湯温の差に応じて、追い炊きポンプ１５と浴槽湯温制御センサー１９により浴槽１７へ入る湯温を制御する浴槽湯温制御手段２１を備えた温水器。【選択図】図１
2006071159.tif 000002
【特許請求の範囲】
【請求項１】
貯湯タンクと、前記貯湯タンク内の水を上部から順に高温にする加熱手段と、前記貯湯タンクの下部と上部を連通する第１連通路と、前記第１連通路に水を供給する沸き上げポンプと、前記貯湯タンクの上部と下部を連通する第２連通路と、前記第２連通路に貯湯タンク上部の湯水を供給する追い炊きポンプと、前記第２連通路を流れる湯水と熱交換する水熱交換器と、前記沸き上げポンプおよび加熱手段を制御する加熱制御手段と、浴槽水循環ポンプにより浴槽水を循環して前記水熱交換器で熱交換を行う浴槽水循環回路と、前記水熱交換器の浴槽水出口側に設けられた浴槽湯温制御センサーと、前記水熱交換器の浴槽水入口側に設けられた浴槽水温センサーと、前記浴槽水温センサーの検出温度と浴槽水の設定湯温の差に応じて前記追炊きポンプと浴槽湯温制御センサーにより浴槽へ入る湯温を制御する浴槽湯温制御手段とを備えた温水器。
【請求項２】
浴槽水温センサーの検出温度と浴槽水の設定湯温の差が所定値以上の場合は、浴槽へ入る湯温を高くする浴槽湯温制御手段を備えた請求項１記載の温水器。
【請求項３】
浴槽水循環回路に浴槽湯量を検出する水位センサーを設け、水位センサーの検出量が設定値以上で、浴槽水温センサーの検出温度と浴槽水の設定湯温の差が所定値以下の場合は、浴槽へ入る湯温を低くする浴槽湯温制御手段を備えた請求項１記載の温水器。
【発明の詳細な説明】
【技術分野】
【０００１】
本発明は貯湯タンクの貯湯熱を利用して浴槽の加熱が可能な温水器に関するものである。
【背景技術】
【０００２】
従来の構成を図３を用いて説明すると、上部と下部にヒーター２、３を有する貯湯タンク１を備え、この貯湯タンク１の上部に熱交換器４を設けると共に、前記熱交換器４と浴槽５間に循環路６を設け、この循環路６内に浴槽水を循環させることで、熱交換器４を介して貯湯タンク１の高温水と熱交換し、浴槽５の追い焚きや保温をするようにしている（特許文献１参照）。
【特許文献１】特開平１１−８３１５６号公報
【発明の開示】
【発明が解決しようとする課題】
【０００３】
このような貯湯タンク１の熱を利用して浴槽水の追い炊きを行う構成では、貯湯タンク１上部に設けた熱交換器４で貯湯タンク１内の熱を奪うため、貯湯タンク１内の湯温が高い場合に追い焚きを行うと、浴槽５内へ高い湯温のお湯が出て、浴槽内へ入浴中の場合、やけどの恐れや高温のお湯が体に当たり不快感があるなどの問題があった。
【０００４】
本発明は、上記従来の問題を解決するもので、貯湯式温水器の貯湯熱を利用して、安全で快適な浴槽水の追い焚き、保温を行う温水器を提供することを目的とする。
【課題を解決するための手段】
【０００５】
本発明は上記課題を解決するために、貯湯タンクと、前記貯湯タンク内の水を上部から順に高温にする加熱手段と、前記貯湯タンクの下部と上部を連通する第１連通路と、前記第１連通路に水を供給する沸き上げポンプと、前記貯湯タンクの上部と下部を連通する第２連通路と、前記第２連通路に貯湯タンク上部の湯水を供給する追い炊きポンプと、前記第２連通路を流れる湯水と熱交換する水熱交換器と、前記沸き上げポンプおよび加熱手段を制御する加熱制御手段と、浴槽水循環ポンプにより浴槽水を循環して前記水熱交換器で熱交換を行う浴槽水循環回路と、前記水熱交換器の浴槽水出口側に設けられた浴槽湯温制御センサーと、前記水熱交換器の浴槽水入口側に設けられた浴槽水温センサーと、前記浴槽水温センサーの検出温度と浴槽水の設定湯温の差に応じて前記追炊きポンプと浴槽湯温制御センサーにより浴槽へ入る湯温を制御する浴槽湯温制御手段とを備えた温水器とする。
【０００６】
上記発明によれば、浴槽水温センサーの検出温度と浴槽水の設定湯温の差が所定値以下の場合、例えば浴槽のお湯の保温運転時は追炊きポンプの流量を少なくして、浴槽へ入る湯温を抑えることにより、浴槽内へ高い湯温のお湯が出ないようにして、やけどの防止や、お湯が体に当たることによる不快感を防止する。
【発明の効果】
【０００７】
以上のように本発明によれば、浴槽水温センサーの検出温度と浴槽水の設定湯温の差が所定値以下の場合、例えば浴槽のお湯の保温運転時は追炊きポンプの流量を少なくして、浴槽へ入る湯温を抑えることにより、浴槽内へ高い湯温のお湯が出ないようにして、やけどの防止や、お湯が体に当たることによる不快感を防止できる。
【発明を実施するための最良の形態】
【０００８】
第１の発明は、本発明は上記課題を解決するために、貯湯タンクと、前記貯湯タンク内の水を上部から順に高温にする加熱手段と、前記貯湯タンクの下部と上部を連通する第１連通路と、前記第１連通路に水を供給する沸き上げポンプと、前記貯湯タンクの上部と下部を連通する第２連通路と、前記第２連通路に貯湯タンク上部の湯水を供給する追い炊きポンプと、前記第２連通路を流れる湯水と熱交換する水熱交換器と、前記沸き上げポンプおよび加熱手段を制御する加熱制御手段と、浴槽水循環ポンプにより浴槽水を循環して前記水熱交換器で熱交換を行う浴槽水循環回路と、前記水熱交換器の浴槽水出口側に設けられた浴槽湯温制御センサーと、前記水熱交換器の浴槽水入口側に設けられた浴槽水温センサーと、前記浴槽水温センサーの検出温度と浴槽水の設定湯温の差に応じて前記追炊きポンプと浴槽湯温制御センサーにより浴槽へ入る湯温を制御する浴槽湯温制御手段とを備えた温水器とする。
【０００９】
そして、浴槽水温センサーの検出温度と浴槽水の設定湯温の差が所定値以下の場合、例えば浴槽のお湯の保温運転時は追炊きポンプの流量を少なくして、浴槽へ入る湯温を抑えることにより、浴槽内へ高い湯温のお湯が出ないようにして、やけどの防止や、お湯が体に当たることによる不快感を防止する。
【００１０】
第２の発明は、浴槽水温センサーの検出温度と浴槽水の設定湯温の差が所定値以上の場合は、浴槽へ入る湯温を高くする浴槽湯温制御手段を備えた構成としたことを特徴とするものである。
【００１１】
そして、浴槽水温センサーの検出温度と浴槽水の設定湯温の差が所定値以上の場合、例えば浴槽のお湯の沸かし直し時は、追炊きポンプの流量を多して、浴槽へ入る湯温を高くし、短時間に浴槽の湯温を上げることができるから、利便性が向上する。
【００１２】
第３の発明は、浴槽水循環回路に浴槽湯量を検出する水位センサーを設け、水位センサーの検出量が設定値以上で、前記浴槽水温センサーの検出温度と浴槽水の設定湯温の差が所定値以下の場合は、浴槽へ入る湯温を低くする浴槽湯温制御手段を備えたことを特徴とするものである。
【００１３】
これにより水位センサーの検出量により浴槽内に人が入っているか判断し、水位センサーの検出量が設定値以上で入浴中と判断し、かつ前記浴槽水温センサーの検出温度と浴槽水の設定湯温の差が所定値以下の場合は、浴槽へ入る湯温を低くすることにより、入浴中のやけど防止、不快感の解消ができる。
【００１４】
（実施の形態１）
以下本発明の実施の形態１について、図面を参照しながら説明する。図１は本発明の温水器の構成図を示すものである。
【００１５】
本実施の形態は一般家庭用の温水器で、主に割安な深夜電力を利用して給湯の湯を貯湯するもので、貯湯タンク７と、この貯湯タンク７の上部に設けた水を加熱するヒーター８と、貯湯タンク７内の水を下部より取り出し、この水を貯湯タンク７上部に導く第１連通路９と、この連通路９に貯湯タンク７の湯水を供給する沸き上げポンプ１０と、前記沸き上げポンプ１０およびヒーター８を制御し前記貯湯タンク７内に高温と低温の温度成層１１を形成させる加熱制御手段１２と、貯湯タンク７上部側面接続口１３より湯を取り出し、貯湯タンク下部へ導く第２連通路１４と、前記第２連通路１４に貯湯タンク７上部の湯水を供給する追い炊きポンプ１５と、前記第２連通路１４を流れる湯水と熱交換する水熱交換器１６と、前記水熱交換器１６へ循環吸熱し水熱交換器１６の熱を浴槽１７に供給する浴槽水循環ポンプ１８と、水熱交換器１６の浴槽水出口側に浴槽湯温制御センサー１９と、水熱交換器１６の浴槽水入口側に浴槽水温センサー２０と、浴槽水温センサー１９の検出温度と浴槽水の設定湯温の差に応じて、追い炊きポンプ１５と浴槽湯温制御センサー１９により浴槽７へ入る湯温を制御する浴槽湯温制御手段２１を主部品として構成している。
【００１６】
なお、本実施の形態では水を加熱する手段としてヒーター８を用いているが、ヒーター８の代わりに、貯湯タンク７外にヒートポンプで水を加熱する熱源機（図示せず）を用いてもよい。また、本実施の形態は浴槽を放熱手段の例としてあげているが、浴槽の代わりに放熱手段の実施の形態として床暖房や空調放熱板などでもよい。
【００１７】
また、２２は貯湯タンク７最上部に設けた湯温検知センサーであり、２３、２４は貯湯タンク７の上部より順に壁面に設けた第１残湯温センサー、第２残湯温センサーであり、第１残湯温センサー２３は前記第２連通路１４の貯湯タンク７上部側面接続口１３よりも上部に設けている。また第２残湯温センサー２４は貯湯タンク７上部側面接続口１３よりも下部に設けている。２５は第２残湯温センサー２４より下部の貯湯タンク７壁面に設けた第３残湯温センサーである。
【００１８】
２６は往き管、２７は戻り管で、浴槽１７と水熱交換器１６とをつなぎ浴槽水循環回路を構成し、戻り管２７に浴槽水循環ポンプ１８を設けて、浴槽水２８を水熱交換器１６に送り、加熱された浴槽水を浴槽１７に戻すように作用する。また、２９は、往き管２６、戻り管２７を浴槽１６につなぐ浴槽接続アダプターである。
【００１９】
給湯時は、減圧弁３０で減圧された水道水が貯湯タンク７底部の給水口３１から供給され、貯湯タンク７上部の出湯管３２から出湯される。３３は、出湯管３２から出湯される湯と給水管３４からの水道水を混合する混合弁で、混合温度を検出する混合温度センサー３５の検出値をフィードバックして、所定の温度に混合して給湯管３６に送出する。給湯管３６は蛇口３７やシャワー（図示せず）に接続される。
【００２０】
３８は、給湯管３６と往き管２６をつなぐ注湯管３９に設けた開閉弁で、浴槽１７に湯張りしたり、差し湯する場合に、この開閉弁３８を開放して行う。４０は、開閉弁３８と往き管２６の間に設けた逆止弁で浴槽１７側からの湯が給湯管３６へ逆流しないように作用している。
【００２１】
４１は、給湯管３６に取り付けられ、給湯管３６での給湯量を検知する流量センサーであり、前記開閉弁３８が開いて浴槽１７に湯張り中に、蛇口３７が開かれて給湯されると、流量センサー４１で給湯量を検出し、開閉弁３８を閉じ、一時浴槽湯張りを中断する。蛇口３７の給湯が終了すれば、開閉弁３８が開き浴槽１７への湯張りが再開する。４２は、戻り管２７に取り付けられ浴槽水２８の水位を検知する水位センサである。
【００２２】
４３は、貯湯タンク７の出湯管３２から分岐して取り付けられ、貯湯タンク７の水を温水化する際に膨張する膨張水を逃がし、貯湯タンクの異常な圧力上昇を抑える逃がし弁である。
【００２３】
次に、前記加熱制御手段１２、浴槽湯温制御手段２１の詳細な動作について、図２の制御シーケンス図に基づいて説明する。
【００２４】
図２（ａ）において、加熱制御手段１２は貯湯タンク７の水を沸き上げる制御手段であり、時計（図示せず）の時刻によって、深夜時間帯に貯湯タンク７全量を沸き上げる全量沸き上げモードと、昼間時間帯に貯湯タンク７上部を所定量沸き上げる沸き増し沸き上げモードの２モードを有している。
【００２５】
前記全量沸き上げモード、沸き増し沸き上げモード双方ともに、沸き上げ運転が開始されると、貯湯タンク７の水の流れは図１で示す実線矢印の方向になる。
【００２６】
まず、時計（図示せず）の時刻によって、深夜時間帯に貯湯タンク７全量を沸き上げる全量沸き上げモードと判断すると、ヒーター８が通電され、ヒーター８上部の水を温水化するが、沸き上げポンプ１０は停止している。
【００２７】
次に、湯温検知センサー２２によりヒーター８上部の湯温ＴＨ１を検出し、目標湯温ＴＨＡと比較する。湯温ＴＨ１が目標湯温ＴＨＡ以下であれば、沸き上げポンプ１０を停止したまま、再度、湯温ＴＨ１を検出する。
【００２８】
湯温ＴＨ１が目標湯温ＴＨＡを越えると、沸き上げポンプ１０を駆動する。沸き上げポンプ１０を駆動すると、貯湯タンク７下部の水が沸き上げポンプ１０に流入し、第１連絡路９から貯湯タンク７上部へ流入し、貯湯タンク７上部の湯温が低下する。
【００２９】
その後、再度、湯温ＴＨ１を検出し、沸き上げ完了目標湯温ＴＨＢと比較する。湯温ＴＨ１が目標湯温ＴＨＢ以下であれば、再度、湯温ＴＨ１を検出し、目標湯温ＴＨＡと比較する。湯温ＴＨ１が目標湯温ＴＨＡ以下であれば、沸き上げポンプ１０を停止する。このようにヒーター８に通電したまま、沸き上げポンプのＯＮ−ＯＦＦ動作により貯湯タンク７上部より温度成層１１（高温湯と水の境界層）を形成しながら、湯温ＴＨＡの湯を順次貯湯していく。
【００３０】
湯温ＴＨＡの湯が第３残湯温センサー２５位置を過ぎ、貯湯タンク７下部まで達すると、湯温制御センサー２２により検出する湯温ＴＨ１が徐々に上昇する。
【００３１】
検出湯温ＴＨ１が徐々に上昇して、沸き上げ完了目標湯温ＴＨＢに達するとヒーター８および沸き上げポンプ１２が停止して、貯湯タンク７の沸き上げ運転が完了する。
【００３２】
次に、時計（図示せず）の時刻によって、昼間時間帯に貯湯タンク７上部を所定量沸き上げる沸き増し沸き上げモードと判断すると、貯湯タンク７の第１残湯温センサー２３で貯湯タンク７の湯温を検出する。検出した湯温をＴＨ２とし、ＴＨ２が目標残湯温ＴＨＣ以上あるか比較する。
【００３３】
ＴＨ２が沸き上げ目標残湯温ＴＨＣ以下であると、ヒーター８が通電され、ヒーター８上部の水を温水化するが、沸き上げポンプ１０は停止している。
【００３４】
次に、湯温検知センサー２２によりヒーター８上部の湯温ＴＨ１を検出し、目標湯温ＴＨＡと比較する。湯温ＴＨ１が目標湯温ＴＨＡ以下であれば、沸き上げポンプ１０を停止したまま、再度、湯温ＴＨ１を検出する。
【００３５】
湯温ＴＨ１が目標湯温ＴＨＡを越えると、沸き上げポンプ１０を駆動する。沸き上げポンプ１０を駆動すると、貯湯タンク７下部の水が沸き上げポンプ１０に流入し、第１連絡路９から貯湯タンク７上部へ流入し、貯湯タンク７上部の湯温が低下する。
【００３６】
その後、再度、湯温ＴＨ２検出し、目標残湯温ＴＨＣと比較する。湯温ＴＨ２が目標残湯温ＴＨＣ以下であれば、再度、湯温ＴＨ１を検出し、目標湯温ＴＨＡと比較する。湯温ＴＨ１が目標湯温ＴＨＡ以下であれば、沸き上げポンプ１０を停止する。このようにヒーター８に通電したまま、沸き上げポンプのＯＮ−ＯＦＦ動作により貯湯タンク７上部より湯温ＴＨＡの湯を順次貯湯していく。
【００３７】
湯温ＴＨ２が目標残湯温ＴＨＣに達すると、ヒーター８および沸き上げポンプ１２が停止して、貯湯タンク７上部に所定量の湯が貯湯される。昼間時間帯においては、常に第１残湯センサー２３から上部には湯が確保されている。
【００３８】
ここで、貯湯タンク７内のヒーター８上部の貯湯容量は小さく、すぐに温水化が可能であるため、湯切れに対しても素早く対応できる。
【００３９】
次に、浴槽湯温制御手段２１について説明する。図２（ｂ）において、浴槽湯温制御手段２１は浴槽１７の保温および、追い焚きを行う制御手段であり、まず浴槽１７に湯張りが完了すると保温運転に入る。
【００４０】
保温運転が開始されると、貯湯タンク７の水の流れは図１で示す斜線矢印の方向、浴槽水２８の流れは図１で示す黒矢印の方向になる。
【００４１】
次に保温タイマー（図示せず）が起動し、所定時間になれば浴槽水循環ポンプ１８が駆動し、浴槽接続アダプター２９、戻り管２７、浴槽水循環ポンプ１８、水熱交換器１６、往き管２６の経路で浴槽水２８を循環させる。この時、浴槽水温センサー２０で浴槽水温ＴＢ１を検出する。
【００４２】
次に、浴槽水目標湯温ＴＢＡと現在の浴槽水温ＴＢ１を比較し、浴槽水温ＴＢ１が目標湯温ＴＢＡより低ければ、目標湯温ＴＢＡと浴槽水温ＴＢ１の差を算出し、算出した温度差ΔＴＣを所定値ＴＣ１と比較する。
【００４３】
ΔＴＣがＴＣ１より低ければ水熱交換器１６出口の湯温設定を高温設定値ＴＣＢとして、追い炊きポンプ１５を駆動させる。
【００４４】
追い炊きポンプ１５駆動により貯湯タンク７上部の湯は、第２連通路１４から水熱交換器１６へ入る。水熱交換器１６で、浴槽水循環ポンプ１８で送られた浴槽水２８と熱交換し、温度低下して、追い炊きポンプ１２を通り、貯湯タンク７内下部へ戻る。
【００４５】
この時、水熱交換器１６出口に設けた浴槽湯温制御センサー１９により、湯温ＴＨ３を検出し、湯温ＴＨ３が湯温設定値ＴＣＢになるように、追い炊きポンプ１５の水量を制御する。
【００４６】
追い炊きポンプ１５で制御され昇温したお湯は、一定水量の浴槽水循環ポンプ１８で往き管２６から浴槽接続アダプター２９を介して浴槽１７へ送られる。
【００４７】
上記の循環を繰り返し、浴槽水温ＴＢ１が目標湯温ＴＢＡになれば、追い炊きポンプ１５、浴槽水循環ポンプ１８が停止し、保温タイマー起動に戻る。
【００４８】
逆に、ΔＴＣがＴＣ１より高ければ水熱交換器１６出口の湯温設定を低温設定値ＴＣＡとして、追い炊きポンプ１５を駆動させる。
【００４９】
追い炊きポンプ１５駆動により貯湯タンク７上部の湯は、第２連通路１４から水熱交換器１６へ入る。水熱交換器１６で、浴槽循環ポンプ１８で送られた浴槽水２８と熱交換し、温度低下して、追い炊きポンプ１２を通り、貯湯タンク７内下部へ戻る。
【００５０】
この時、水熱交換器１６出口に設けた浴槽湯温制御センサー１９により、湯温ＴＨ３を検出し、湯温ＴＨ３が湯温設定値ＴＣＡになるように、追い炊きポンプ１５の水量を制御する。
【００５１】
追い炊きポンプ１５で制御され昇温したお湯は、一定水量の浴槽水循環ポンプ１８で往き管２６から浴槽接続アダプター２９を介して浴槽１７へ送られる。
【００５２】
追い炊きポンプ１５で水熱交換器１６へ送られる貯湯槽内のお湯の量は、高温設定値ＴＣＢ時より低温設定値ＴＣＡ時が少ない。
【００５３】
次に、使用者が浴槽水２８を強制的に追い炊きしたい場合には、追い炊きスイッチ（図示せず）を押す。
【００５４】
追い炊きスイッチが押されると、保温運転タイマーのシーケンスを通らない浴槽湯温制御手段２１の制御シーケンスに入り、上記と同様の制御シーケンスに入る。
【００５５】
すなわち、浴槽水循環ポンプ１８が駆動し、浴槽接続アダプター２９、戻り管２７、浴槽水循環ポンプ１８、水熱交換器１６、往き管２６の経路で浴槽水２８を循環させる。
この時、浴槽水温センサー２０で浴槽水温ＴＢ１を検出する。
【００５６】
次に、浴槽水目標湯温ＴＢＡと現在の浴槽水温ＴＢ１を比較し、浴槽水温ＴＢ１が目標湯温ＴＢＡより低ければ、目標湯温ＴＢＡと浴槽水温ＴＢ１の差を算出し、算出した温度差ΔＴＣを所定値ＴＣ１と比較する。
【００５７】
ΔＴＣがＴＣ１より低ければ水熱交換器１６出口の湯温設定を高温設定値ＴＣＢとして、追い炊きポンプ１５を駆動させる。
【００５８】
追い炊きポンプ１５駆動により貯湯タンク７上部の湯は、第２連通路１４から水熱交換器１６へ入る。水熱交換器１６で、浴槽水循環ポンプ１８で送られた浴槽水２８と熱交換し、温度低下して、追い炊きポンプ１２を通り、貯湯タンク７内下部へ戻る。
【００５９】
この時、水熱交換器１６出口に設けた浴槽湯温制御センサー１９により、湯温ＴＨ３を検出し、湯温ＴＨ３が湯温設定値ＴＣＢになるように、追い炊きポンプ１５の水量を制御する。
【００６０】
追い炊きポンプ１５で制御され昇温したお湯は、一定水量の浴槽水循環ポンプ１８で往き管２６から浴槽接続アダプター２９を介して浴槽１７へ送られる。
【００６１】
上記の循環を繰り返し、浴槽水温ＴＢ１が目標湯温ＴＢＡになれば、追い炊きポンプ１５、浴槽水循環ポンプ１８が停止し、保温タイマー起動に戻る。
【００６２】
逆に、ΔＴＣがＴＣ１より高ければ水熱交換器１６出口の湯温設定を低温設定値ＴＣＡとして、追い炊きポンプ１５を駆動させる。
【００６３】
追い炊きポンプ１５駆動により貯湯タンク７上部の湯は、第２連通路１４から水熱交換器１６へ入る。水熱交換器１６で、浴槽水循環ポンプ１８で送られた浴槽水２８と熱交換し、温度低下して、追い炊きポンプ１２を通り、貯湯タンク７内下部へ戻る。
【００６４】
この時、水熱交換器１６出口に設けた浴槽湯温制御センサー１９により、湯温ＴＨ３を検出し、湯温ＴＨ３が湯温設定値ＴＣＡになるように、追い炊きポンプ１５の水量を制御する。
【００６５】
追い炊きポンプ１５で制御され昇温したお湯は、一定水量の浴槽水循環ポンプ１８で往き管２６から浴槽接続アダプター２９を介して浴槽１７へ送られる。
【００６６】
次に、図２の（ｃ）で、水位センサー４２を使用した場合の浴槽湯温制御手段２１の制御シーケンスを説明する。
【００６７】
浴槽湯温制御手段２１は浴槽１７の保温および、追い炊きを行う制御手段であり、まず浴槽１７に湯張りが完了すると保温運転に入る。
【００６８】
保温運転が開始されると、貯湯タンク７の水の流れは図１で示す斜線矢印の方向、浴槽水２８の流れは図１で示す黒矢印の方向になる。
【００６９】
次に保温タイマー（図示せず）が起動し、所定時間になれば浴槽水循環ポンプ１８が駆動し、浴槽接続アダプター２９、戻り管２７、浴槽水循環ポンプ１８、水熱交換器１６、往き管２６の経路で浴槽水２８を循環させる。この時、浴槽水温センサー２０で浴槽水温ＴＢ１を検出する。
【００７０】
次に、浴槽水目標湯温ＴＢＡと現在の浴槽水温ＴＢ１を比較し、浴槽水温ＴＢ１が目標湯温ＴＢＡより低ければ、目標湯温ＴＢＡと浴槽水温ＴＢ１の差を算出し、算出した温度差ΔＴＣを所定値ＴＣ１と比較する。
【００７１】
ΔＴＣがＴＣ１より低ければ、浴槽水循環ポンプ１８を停止させ、水位センサー４２で浴槽１７の水位を検出する。
【００７２】
検出した水位をＨ１とし、湯張り後の基準水位ＨＳと比較してＨ１がＨＳより大きければ人が入浴中と判断して、水熱交換器１６出口の湯温設定を低温設定値ＴＣＡとして、追い炊きポンプ１５を駆動させる。
【００７３】
追い炊きポンプ１５駆動により貯湯タンク７上部の湯は、第２連通路１４から水熱交換器１６へ入る。水熱交換器１６で、浴槽水循環ポンプ１８で送られた浴槽水２８と熱交換し、温度低下して、追い炊きポンプ１２を通り、貯湯タンク７内下部へ戻る。
【００７４】
この時、水熱交換器１６出口に設けた浴槽湯温制御センサー１９により、湯温ＴＨ３を検出し、湯温ＴＨ３が湯温設定値ＴＣＡになるように、追い炊きポンプ１５の水量を制御する。
【００７５】
追い炊きポンプ１５で制御され昇温したお湯は、一定水量の浴槽水循環ポンプ１８で往き管２６から浴槽接続アダプター２９を介して浴槽１７へ送られる。
【００７６】
上記の循環を繰り返し、浴槽水温ＴＢ１が目標湯温ＴＢＡになれば、追い炊きポンプ１５、浴槽水循環ポンプ１８が停止し、保温タイマー起動に戻る。
【００７７】
また、ΔＴＣがＴＣ１より低ければ、同様に水熱交換器１６出口の湯温設定を低温設定値ＴＣＡとして、追い炊きポンプ１５を駆動させる。
【００７８】
この時、水熱交換器１６出口に設けた浴槽湯温制御センサー１９により、湯温ＴＨ３を検出し、湯温ＴＨ３が湯温設定値ＴＣＡになるように、追い炊きポンプ１５の水量を制御する。
【００７９】
逆に、水位センサー４２で検出した浴槽１７の水位をＨ１が、湯張り後の基準水位ＨＳと比較して同じであれば、人が入浴していないと判断して、水熱交換器１６出口の湯温設定を高温設定値ＴＣＢとして、追い炊きポンプ１５を駆動させる。
【００８０】
この時、水熱交換器１６出口に設けた浴槽湯温制御センサー１９により、湯温ＴＨ３を検出し、湯温ＴＨ３が湯温設定値ＴＣＢになるように、追い炊きポンプ１５の水量を制御する。
【００８１】
追い炊きポンプ１５で制御され昇温したお湯は、一定水量の浴槽水循環ポンプ１８で往き管２６から浴槽接続アダプター２９を介して浴槽１７へ送られる。
【００８２】
追い炊きポンプ１５で水熱交換器１６へ送られる貯湯槽内のお湯の量は、高温設定値ＴＣＢ時より低温設定値ＴＣＡ時が少ない。
【００８３】
次に、使用者が浴槽水２８を強制的に追い炊きしたい場合には、追い炊きスイッチ（図示せず）を押す。
【００８４】
追い炊きスイッチが押されると、保温運転タイマーのシーケンスを通らない浴槽湯温制御手段２１の制御シーケンスに入り、上記と同様の制御シーケンスに入る。
【産業上の利用可能性】
【００８５】
本発明は、貯湯タンクの貯湯熱を利用して浴槽の加熱が可能な温水器に利用されるものであり、水を加熱する手段としてヒーターを用いる電気温水器のほか、ヒーターの代わりに、貯湯タンク外にヒートポンプで水を加熱するヒートポンプ給湯器としても利用可能である。また、浴槽の代わりに床暖房や空調放熱板などに温水を利用する形態のものでもよい。
【図面の簡単な説明】
【００８６】
【図１】本発明の実施の形態１における温水器の構成図
【図２】（ａ）同、温水器の沸き上げ運転時のフローチャート（ｂ）浴槽湯温制御手段の制御フローチャート（ｃ）水位センサーを使用した場合の浴槽湯温制御手段の制御フローチャート
【図３】従来の温水器の構成図
【符号の説明】
【００８７】
７  貯湯タンク
８  ヒーター（加熱手段）
９  第１連通路
１０  沸き上げポンプ
１２  加熱制御手段
１４  第２連通路
１５  追い炊きポンプ
１６  水熱交換器
１７  浴槽
１８  浴槽水循環ポンプ
１９  浴槽湯温制御センサー
２０  浴槽水温センサー
２１  浴槽湯温制御手段
２２  湯温制御センサー
２６  往き管（浴槽水循環回路）
２７  戻り管（浴槽水循環回路）
４２  水位センサー
【図１】
2006071159.tif 000003
【図２】
2006071159.tif 000004
【図３】
2006071159.tif 000005